(57)【要約】【課題】溶接前における鉄筋の位置決めを容易にすることはもとより、製造コスト面や鉄筋溶接継手用部材自体の強度面についても配慮した鉄筋溶接継手用部材を提供する。【解決手段】鉄筋溶接継手用部材１は、内周面１１、外周面１２、第一側面１３、第二側面１４、第三側面１５及び第四側面１６からなる略Ｕ字形状のＵ字基体１０と、前記Ｕ字基体の内周面の長手方向の中央位置に刻設する第一凹部２１と、第二凹部２２と、第三凹部２３と、を備える。前記第一凹部は、Ｕ字基体短手方向中央仮想線及び前記第一側面と平行な直線であり、前記第二凹部は、前記Ｕ字基体短手方向中央仮想線及び前記第二側面と平行な直線である。【選択図】図１
0003192430.tif 000002
【実用新案登録請求の範囲】
【請求項１】
端面を対向させた２本の鉄筋の外周に被せる略Ｕ字形状の鉄筋溶接継手用部材であって、
内周面及び外周面と、前記内周面と前記外周面の長手方向端部に挟まれた第一側面及び第二側面と、前記内周面と前記外周面の短手方向端部に挟まれた第三側面及び第四側面と、で構成するＵ字基体と、
前記内周面の長手方向の中央付近に刻設する所定の第一凹部と、
前記第一凹部よりも前記第二側面に近い位置に刻設する所定の第二凹部と、
からなり、
前記第一凹部及び前記第二凹部が、前記第三側面の高さ方向の中央位置と前記第四側面の高さ方向の中央位置を結ぶＵ字基体短手方向中央仮想線（Ｃ）に対して平行である鉄筋溶接継手用部材。
【請求項２】
前記Ｕ字基体短手方向中央仮想線から前記第一凹部までの距離と前記Ｕ字基体短手方向中央仮想線から前記第二凹部までの距離が同一である請求項１に記載の鉄筋溶接継手用部材。
【請求項３】
前記第一凹部が前記第一側面と平行である又は前記第二凹部が前記第二側面と平行である請求項１又は請求項２に記載の鉄筋溶接継手用部材。
【請求項４】
前記第一凹部と前記第二凹部に挟まれた空間内に、前記Ｕ字基体短手方向中央仮想線に対して略９０度の角度差をつけた第三凹部の全部又は一部を刻設した請求項１から請求項３のいずれかに記載の鉄筋溶接継手用部材。
【考案の詳細な説明】
【技術分野】
【０００１】
本願考案は、２本の鉄筋を溶接によって接続する際に用いる鉄筋溶接継手用部材に関するものである。
【背景技術】
【０００２】
従来より、２本の鉄筋の端面相互を溶接によって接続する際には、円筒形状あるいは半円筒形状（断面Ｕ字形状）の鉄筋溶接継手用部材が利用されてきた。
【０００３】
例えば、後者の鉄筋溶接継手用部材として、平行状に複数の矩形孔を周面に開設した断面Ｕ字形状の鉄筋溶接継手用部材が存在する（特許文献１）。
【先行技術文献】
【特許文献】
【０００４】
【特許文献１】実登３０５２４３２号公報
【考案の概要】
【考案が解決しようとする課題】
【０００５】
特許文献１の鉄筋溶接継手用部材は、突き合わせた鉄筋の隙間と同等の長さの矩形孔を、複数（１０箇所）開設しているので、ゲージを用いなくても、鉄筋の隙間間隔を正確に計ることができ、溶接前における作業の簡略化及び作業性の向上について効果があり、便利である。
【０００６】
しかしながら、複数の矩形孔を開設するための製造コスト面や、複数の矩形孔を開設したことによる鉄筋溶接継手用部材自体及び接続後鉄筋の強度面について、さらなる改良の余地があるものと考える。
【０００７】
そこで、本願考案では、溶接前における鉄筋の位置決めを容易にすることはもとより、製造コスト面や鉄筋溶接継手用部材自体及び接続後鉄筋の強度面についても配慮した鉄筋溶接継手用部材を提供することを課題とする。
【課題を解決するための手段】
【０００８】
上述の課題を解決するため、本願考案では、端面を対向させた２本の鉄筋の外周に被せる略Ｕ字形状の鉄筋溶接継手用部材であって、内周面及び外周面と、前記内周面と前記外周面の長手方向端部に挟まれた第一側面及び第二側面と、前記内周面と前記外周面の短手方向端部に挟まれた第三側面及び第四側面とで構成するＵ字基体と、前記内周面の長手方向の中央付近に刻設する所定の第一凹部と、前記第一凹部よりも前記第二側面に近い位置に刻設する所定の第二凹部とからなり、前記第一凹部及び前記第二凹部が、前記第三側面の高さ方向の中央位置と前記第四側面の高さ方向の中央位置を結ぶＵ字基体短手方向中央仮想線に対して平行である鉄筋溶接継手用部材を提供する。
【０００９】
また、上述の課題を解決するため、本願考案では、端面を対向させた２本の鉄筋の外周に被せる略Ｕ字形状の鉄筋溶接継手用部材であって、内周面及び外周面と、前記内周面と前記外周面の長手方向端部に挟まれた第一側面及び第二側面と、前記内周面と前記外周面の短手方向端部に挟まれた第三側面及び第四側面とで構成するＵ字基体と、前記内周面の長手方向の中央付近に刻設する所定の第一凹部と、前記第一凹部よりも前記第二側面に近い位置に刻設する所定の第二凹部とからなり、前記第一凹部及び前記第二凹部が、前記第三側面の高さ方向の中央位置と前記第四側面の高さ方向の中央位置を結ぶＵ字基体短手方向中央仮想線に対して平行であり、前記Ｕ字基体短手方向中央仮想線から前記第一凹部までの距離と前記Ｕ字基体短手方向中央仮想線から前記第二凹部までの距離が同一である鉄筋溶接継手用部材を提供する。
【００１０】
また、上述の課題を解決するため、本願考案では、端面を対向させた２本の鉄筋の外周に被せる略Ｕ字形状の鉄筋溶接継手用部材であって、内周面及び外周面と、前記内周面と前記外周面の長手方向端部に挟まれた第一側面及び第二側面と、前記内周面と前記外周面の短手方向端部に挟まれた第三側面及び第四側面とで構成するＵ字基体と、前記内周面の長手方向の中央付近に刻設する所定の第一凹部と、前記第一凹部よりも前記第二側面に近い位置に刻設する所定の第二凹部とからなり、前記第一凹部及び前記第二凹部が、前記第三側面の高さ方向の中央位置と前記第四側面の高さ方向の中央位置を結ぶＵ字基体短手方向中央仮想線に対して平行であり、かつ、前記第一凹部が前記第一側面とも平行である又は前記第二凹部が前記第二側面とも平行であり、前記Ｕ字基体短手方向中央仮想線から前記第一凹部までの距離と前記Ｕ字基体短手方向中央仮想線から前記第二凹部までの距離が同一である鉄筋溶接継手用部材を提供する。
【００１１】
また、上述の課題を解決するため、本願考案では、端面を対向させた２本の鉄筋の外周に被せる略Ｕ字形状の鉄筋溶接継手用部材であって、内周面及び外周面と、前記内周面と前記外周面の長手方向端部に挟まれた第一側面及び第二側面と、前記内周面と前記外周面の短手方向端部に挟まれた第三側面及び第四側面とで構成するＵ字基体と、前記内周面の長手方向の中央付近に刻設する所定の第一凹部と、前記第一凹部よりも前記第二側面に近い位置に刻設する所定の第二凹部と、前記第一凹部と前記第二凹部に挟まれた空間内に刻設する所定の第三凹部とからなり、前記第一凹部及び前記第二凹部が、前記第三側面の高さ方向の中央位置と前記第四側面の高さ方向の中央位置を結ぶＵ字基体短手方向中央仮想線に対して平行である鉄筋溶接継手用部材を提供する。
【考案の効果】
【００１２】
本願考案の鉄筋溶接継手用部材は、Ｕ字基体短手方向中央仮想線に対して平行な所定の第一凹部及び第二凹部を刻設しているため、２本の鉄筋の位置決めを容易にすることができる。また、鉄筋溶接継手用部材自体及び接続後鉄筋の強度バランスが確保されている。
【００１３】
また、本願考案の鉄筋溶接継手用部材は、Ｕ字基体短手方向中央仮想線から第一凹部又は第二凹部までの各々の距離を同一としているため、鉄筋溶接継手用部材自体及び接続後鉄筋の強度バランスが確保されているとともに、視覚的にも優れる。
【００１４】
また、本願考案の鉄筋溶接継手用部材は、前記第一凹部がＵ字基体短手方向中央仮想線だけでなく第一側面に対しても平行であるため、上方側の鉄筋の下端面部の位置決めを、より容易にすることができる。また、前記第二凹部がＵ字基体短手方向中央仮想線だけでなく第二側面に対しても平行であるため、下方側の鉄筋の上端面部の位置決めを、より容易にすることができる。
【００１５】
また、本願考案の鉄筋溶接継手用部材は、第一凹部と前記第二凹部に挟まれた空間内に前記Ｕ字基体短手方向中央仮想線に対して略９０度の角度差をつけて刻設する第三凹部を設けるため、溶接作業者の技量を補完し溶接作業を容易にならしめ、接続後鉄筋について一定の品質を確保し得る。前記第一凹部と前記第二凹部に挟まれた空間に前記第三凹部の一部を刻設すると溶接作業がより容易となり、その全部を刻設すると鉄筋溶接継手用部材自体及び接続後鉄筋の強度を確保しやすくなる。
【図面の簡単な説明】
【００１６】
【図１】図１は実施例１の鉄筋溶接継手用部材の全体構造を示した斜視図である。
【図２】図２はＵ字基体短手方向中央仮想線及び実施例１の鉄筋溶接継手用部材の実施形態を示した正面図である。
【図３】図３は第一凹部の刻設構造及び鉄筋溶接継手用部材の実施形態を示した側面図である。
【図４】図４は第三凹部の刻設構造及び実施例１の鉄筋溶接継手用部材の実施形態を示した断面図である。
【図５】図５は第三凹部の第一の変形例を示した斜視図である。
【図６】図６は第三凹部の第二の変形例を示した斜視図である。
【図７】図７は鉄筋溶接継手用部材（鋼板から鋼板片）の製造方法を示した説明図である。
【図８】図８は鉄筋溶接継手用部材の製造方法を示した説明図である。
【図９】図９は溶接接続をする際の手順を示した説明図である。
【図１０】図１０は実施例２の鉄筋溶接継手用部材の全体構造を示した斜視図である。
【考案を実施するための形態】
【００１７】
端面を対向させた２本の鉄筋の外周に、本願考案の鉄筋溶接継手用部材を被せてその内周面を溶接することにより前記鉄筋を接続する。
【実施例１】
【００１８】
鉄筋溶接継手用部材の構成について、図１から図６に従い説明する。
【００１９】
鉄筋溶接継手用部材（１）は、内周面（１１）及び外周面（１２）と、前記内周面の長手方向端部と前記外周面の長手方向端部に挟まれた空間に延接する上方側の第一側面（１３）及び下方側の第二側面（１４）と、前記内周面の短手方向端部と前記外周面の短手方向端部に挟まれた空間に延接する左側の第三側面（１５）及び右側の第四側面（１６）と、からなるＵ字基体（１０）と、前記Ｕ字基体の内周面の長手方向の中央位置の上方側（前記第一側面側）に刻設する所定の第一凹部（２１）と、下方側（前記第二側面側）に刻設する所定の第二凹部（２２）と、前記第一凹部と前記第二凹部に挟まれた空間に刻設する所定の第三凹部（２３）と、で構成する（図１）。
【００２０】
また、前記第三側面（１５）の高さ方向の距離（Ｌ）の中央位置及び前記第四側面（１６）の高さ方向の距離の中央位置を結ぶ仮想直線（Ｃ）を、Ｕ字基体短手方向中央仮想線（Ｃ）と定義し、以下の説明をする（図１及び図２）。
【００２１】
前記Ｕ字基体（１０）の形状について、前記第一側面（１３）の外観形状あるいは断面形状が略Ｕ字形状であるが、接続する鉄筋の外周に概ね沿うＵ字形状であれば良いものとする。したがって、接続する鉄筋の直径（太さ）に応じたＵ字形状の内周面を備える形状となる。
【００２２】
例えば、接続する鉄筋の直径が２５ミリメートルから３２ミリメートルの間である場合、前記Ｕ字基体の内周面の直径は３６ミリメートルとしている。
【００２３】
なお、前記Ｕ字基体（１０）の厚み及び材質について、鉄筋溶接継手用部材自体及び接続後鉄筋の強度面（溶接熱で割れるおそれがないなど）に配慮しながら設計変更し得るが、本実施例では、厚さ４ミリメートルの鉄鋼製としている。
【００２４】
前記第一凹部（２１）を刻設する位置について、鉄筋の溶接作業時に目視が容易な前記Ｕ字基体の内周面の長手方向の中央付近であれば許容し得るが、好ましくはＵ字基体の内周面の長手方向の中央位置である（図２）。
【００２５】
また、前記第一凹部（２１）を、前記Ｕ字基体短手方向中央仮想線（Ｃ）に対して平行とすることにより、上方側の鉄筋の下端面部を傾きが生じ難くしている。また、鉄筋溶接継手用部材自体及び接続後鉄筋の強度バランスも確保されている（図２）。
【００２６】
また、前記第一凹部（２１）は、前記第一側面に対しても平行であることにより、視認性にも優れる（図１）。
【００２７】
前記第一凹部（２１）の形状について、前記Ｕ字基体短手方向中央仮想線（Ｃ）に対して平行で視認確認性に優れる長さ１ミリメートルの連続する直線としているが、鉄筋溶接継手用部材自体及び接続後鉄筋の強度が確保されていれば良いものとする（図２）。例えば、長さ２ミリメートルの不連続な直線（点線、一点鎖線など）でも許容し得る。
【００２８】
前記第二凹部（２２）を刻設する位置について、鉄筋の溶接作業時に目視が容易な前記Ｕ字基体の内周面の長手方向の中央付近であれば許容し得るが、好ましくはＵ字基体の内周面の長手方向の中央位置である（図２）。
【００２９】
また、前記Ｕ字基体短手方向中央仮想線（Ｃ）に対して平行とすることにより、下方側の鉄筋の上端面部を傾きが生じ難くしている。また、鉄筋溶接継手用部材自体及び接続後鉄筋の強度バランスも確保されている（図２）。
【００３０】
また、前記第二凹部（２２）は、前記第二側面に対しても平行であることにより、視認性にも優れる（図１）。
【００３１】
前記第二凹部（２２）の形状について、前記Ｕ字基体短手方向中央仮想線（Ｃ）に対して平行で視認確認性に優れる長さ１ミリメートルの連続する直線としているが、鉄筋溶接継手用部材自体及び接続後鉄筋の強度が確保されていれば良いものとする（図２）。例えば、長さ２ミリメートルの不連続な直線（点線、一点鎖線など）でも許容し得る。
【００３２】
前記第一凹部（２１）から前記Ｕ字基体短手方向中央仮想線（Ｃ）までの距離と前記第二凹部（２２）から前記Ｕ字基体短手方向中央仮想線までの距離は、鉄筋溶接継手用部材自体及び接続後鉄筋の強度バランスあるいは視覚的な面を考慮して、同一としている（図２）。
【００３３】
前記第一凹部（２１）及び前記第二凹部（２２）の形態（形状、長さなど）について、鉄筋溶接継手用部材自体及び接続後鉄筋の強度バランスあるいは視覚的な面を考慮すると、同一形態で刻設する方が好ましい。
【００３４】
前記第三凹部（２３）の刻設する位置及び長さについて、前記第一凹部と前記第二凹部に挟まれた空間内に、当該空間長さと同一の４ミリメートルの長さで、前記Ｕ字基体短手方向中央仮想線（Ｃ）に対して９０度の角度差をつけて刻設しているが、溶接作業の容易性、鉄筋溶接継手用部材自体及び接続後鉄筋の強度を著しく低下させる位置及び長さでなければ、前記第一凹部と前記第二凹部に挟まれた空間内に全部又は一部を刻設していればよいものとする（図１、図２、図５及び図６）。
【００３５】
例えば、図５の様に前記第一凹部及び前記第二凹部に挟まれた空間内に当該空間長さよりも短い２．５ミリメートルの長さの直線で全部を刻設する場合や、図６の様に前記第一凹部及び前記第二凹部に挟まれた空間内に当該空間長さよりも長い６ミリメートルの長さの直線で一部を刻設する場合も許容し得る（図５及び図６）。
【００３６】
また、前記直線を不連続な直線（点線、一点鎖線など）にすることも許容し得るし、前記Ｕ字基体短手方向中央仮想線（Ｃ）に対して９０度前後の角度差（略９０度）で刻設していれば許容し得る。
【００３７】
前記第一凹部（２１）、前記第二凹部及び前記第三凹部（２３）について刻設とは、前記Ｕ字基体（１０）の内周面の表面よりも凹んだ状態に設けることをいう（図３及び図４）。
【００３８】
具体的には、先端が尖った突起体をＵ字基体の内周面部に押圧して凹んだ状態に設ける場合だけでなく、レーザー加工等により凹んだ状態に設ける場合なども包含する。
【００３９】
なお、前記刻設することで、鉄筋溶接継手用部材に雨や雪がかかるあるいはこすれや落下などの外部接触による影響を受けたとしても、鉄筋溶接継手用部材の効果が失われてしまう危険性を抑制している。
【００４０】
なお、前記第一凹部（２１）、前記第二凹部及び前記第三凹部（２３）の凹み深さについて、１ミリメートル程度の深さであるが、鉄筋溶接継手用部材自体及び接続後鉄筋の強度が確保されていれば良いものとする。
【００４１】
次に、鉄筋溶接継手用部材の製造方法について図７及び図８に従い説明する。
【００４２】
短手方向が８０ミリメートル、長手方向が１８０ミリメートルの鋼板の表面にアルファベットのＩ文字形状の突起体を押圧して、第一凹部、第二凹部及び第三凹部を同時に刻設した後、前記鋼板の先端から２０ミリメートルの位置で切断し鉄鋼片（１０´）を製造する（図７）。
【００４３】
同様に、第一凹部、第二凹部及び第三凹部の同時刻設と鋼板の先端から２０ミリメートル位置での切断を繰り返し、鉄鋼片（１０´）を製造していく。
【００４４】
前記鋼板片（１０´）の長手方向中央部を押圧し、Ｕ字基体に成形する（図８）。
【００４５】
なお、前記製造方法は、ひとつの具体例の例示である。したがって、刻設する突起体の形状について、前記アルファベットのＩ文字形状とは異なるものでも許容し得るし、いかなる長さの鋼板（特に、長手方向）を使用することも許容し得るものとする。
【００４６】
次に、２本の鉄筋を上下方向に溶接接続をする際の手順について、図９に従い説明する。
【００４７】
上下方向に並べ端面を対向させた２本の鉄筋（３０、４０）の外周にＵ字基体（１０）を被せる。
【００４８】
第一凹部（２１）が、上方側の鉄筋（３０）によって視認不可にならない様に前記上方側の鉄筋の下端面部（３１）の位置を調整し、仮固定する。
【００４９】
同様に、第二凹部（２２）が、下方側の鉄筋（４０）によって視認不可にならない様に前記下方側の鉄筋の上端面部（４１）の位置を調整し、仮固定する。
【００５０】
第三凹部（２３）の中央部から前記第三凹部に沿って溶接を始める。
【００５１】
前記第三凹部（２３）の中央部から前記第三凹部に沿って溶接を始めることを指導することにより、各々の溶接作業者の個人差をなくし（補完し）、溶接後の鉄筋が一定の品質に保たれることになる。
【実施例２】
【００５２】
実施例２の鉄筋溶接継手用部材は、第三凹部を設けず、かつ、第一凹部及び第二凹部を点線にした変形例であり、実施例１と異なる部分についてのみ図１０に従い説明する。
【００５３】
鉄筋溶接継手用部材（１）は、内周面（１１）及び外周面（１２）と、前記内周面の長手方向端部と前記外周面の長手方向端部に挟まれた空間に延接する上方側の第一側面（１３）及び下方側の第二側面（１４）と、前記内周面の短手方向端部と前記外周面の短手方向端部に挟まれた空間に延接する左側の第三側面（１５）及び右側の第四側面（１６）と、からなるＵ字基体（１０）と、前記Ｕ字基体の内周面の長手方向の中央位置の上方側（前記第一側面側）に刻設する第一凹部（２１）と、下方側（前記第二側面側）に刻設する第二凹部（２２）と、で構成する。
【００５４】
第一凹部（２１）の形状について、前記Ｕ字基体短手方向中央仮想線に対して平行で視認確認性に優れる長さ２ミリメートルの点線としているが、鉄筋溶接継手用部材自体及び接続後鉄筋の強度が確保されていれば良いものとする。例えば、長さ１ミリメートルの連続直線でも許容し得る。また、前記第二凹部（２２）についても同様である。
【００５５】
溶接接続をする際の手順については、実施例１と同様であるため説明は省略する。
【産業上の利用可能性】
【００５６】
本願考案の鉄筋溶接継手用部材は、溶接前における鉄筋の位置決めが容易であるとともに、製造コスト面や強度面に優れた鉄筋溶接継手用部材であるので、産業上の利用可能性を有する。
【符号の説明】
【００５７】
１      鉄筋溶接継手用部材
１０    Ｕ字基体
１０´  鋼板片
１１    内周面
１２    外周面
１３    第一側面（長手方向の上方側の側面）
１４    第二側面（長手方向の下方側の側面）
１５    第三側面（短手方向の左側の側面）
１６    第四側面（短手方向の右側の側面）
２１    第一凹部
２２    第二凹部
２３    第三凹部
３０    一方の鉄筋（上方側の鉄筋）
３１    一方の鉄筋の下端面部
４０    他方の鉄筋（下方側の鉄筋）
４１    他方の鉄筋の上端面部
Ｃ      Ｕ字基体短手方向中央仮想線
Ｌ      第三側面及び第四側面の高さ方向距離
【図１】
0003192430.tif 000003
【図２】
0003192430.tif 000004
【図３】
0003192430.tif 000005
【図４】
0003192430.tif 000006
【図５】
0003192430.tif 000007
【図６】
0003192430.tif 000008
【図７】
0003192430.tif 000009
【図８】
0003192430.tif 000010
【図９】
0003192430.tif 000011
【図１０】
0003192430.tif 000012